(57)【要約】【課題】回路規模を削減し、消費電流を低減した周波数変換回路、受信装置及び送信装置を提供すること。【解決手段】入力信号Ｓ１の周波数ｆ１と所与の周波数ｆ０を混合し直交出力（位相差９０度ずつで４相出力）する周波数変換回路であって、所与の周波数ｆ０で発振し、直交出力する発振部１０と、入力信号に基づいて定まる電流値で発振部１０を駆動する電流源部２０とを含み、発振部１０は、入力信号の周波数ｆ１と所与の周波数ｆ０とを混合し直交出力する。【選択図】図１
2010114669.tif 000002
【特許請求の範囲】
【請求項１】
所与の周波数で発振し、直交出力する発振部と、
入力信号に基づいて定まる電流値で前記発振部を駆動する電流源部とを含み、
前記発振部は、前記入力信号の周波数と前記所与の周波数とを混合し直交出力することを特徴とする周波数変換回路。
【請求項２】
請求項１に記載の周波数変換回路において、
前記発振部は、前記入力信号の周波数と前記所与の周波数を混合し直交出力する第１乃至第４の出力端子と、それぞれ第１端子、第２端子及び制御端子を含む第１乃至第８のトランジスタと、前記所与の周波数で共振する第１乃至第４の共振部とを含み、
前記電流源部は、前記入力信号が入力される入力端子と、前記入力端子に接続される制御端子をそれぞれ含む第１及び第２の電流源とを含み、
前記第１のトランジスタの第１端子と前記第２のトランジスタの第１端子とは相互に接続されるとともに、前記第１の共振部を介して第１電位に接続され、
前記第１のトランジスタの第２端子と前記第２のトランジスタの第２端子とは相互に接続されるとともに、前記第１の電流源を介して第２電位に接続され、
前記第３のトランジスタの第１端子と前記第４のトランジスタの第１端子とは相互に接続されるとともに、前記第２の共振部を介して第１電位に接続され、
前記第３のトランジスタの第２端子と前記第４のトランジスタの第２端子とは相互に接続されるとともに、前記第１のトランジスタの第２端子と前記第２のトランジスタの第２端子との接続点に接続され、さらに前記第１の電流源を介して第２電位に接続され、
前記第５のトランジスタの第１端子と前記第６のトランジスタの第１端子とは相互に接続されるとともに、前記第３の共振部を介して第１電位に接続され、
前記第５のトランジスタの第２端子と前記第６のトランジスタの第２端子とは相互に接続されるとともに、前記第２の電流源を介して第２電位に接続され、
前記第７のトランジスタの第１端子と前記第８のトランジスタの第１端子とは相互に接続されるとともに、前記第４の共振部を介して第１電位に接続され、
前記第７のトランジスタの第２端子と前記第８のトランジスタの第２端子とは相互に接続されるとともに、前記第５のトランジスタの第２端子と前記第６のトランジスタの第２端子との接続点に接続され、さらに前記第２の電流源を介して第２電位に接続され、
前記第８のトランジスタの制御端子は、前記第１のトランジスタの第１端子と前記第２のトランジスタの第１端子との接続点と前記第３のトランジスタの制御端子とに接続されるとともに前記第１の出力端子に接続され、
前記第１のトランジスタの制御端子は、前記第５のトランジスタの第１端子と前記第６のトランジスタの第１端子との接続点と前記第７のトランジスタの制御端子とに接続されるとともに前記第２の出力端子に接続され、
前記第５のトランジスタの制御端子は、前記第３のトランジスタの第１端子と前記第４のトランジスタの第１端子との接続点と前記第２のトランジスタの制御端子とに接続されるとともに前記第３の出力端子に接続され、
前記第４のトランジスタの制御端子は、前記第７のトランジスタの第１端子と前記第８のトランジスタの第１端子との接続点と前記第６のトランジスタの制御端子とに接続されるとともに前記第４の出力端子に接続されていることを特徴とする周波数変換回路。
【請求項３】
請求項２に記載の周波数変換回路において、
前記第１乃至第４の共振部は、ＬＣ共振回路を含んで構成されていることを特徴とする周波数変換回路。
【請求項４】
請求項２又は３のいずれかに記載の周波数変換回路において、
前記共振部又は前記第１乃至第４の共振部は、可変容量を含んで構成されていることを特徴とする周波数変換回路。
【請求項５】
請求項１乃至４のいずれかに記載の周波数変換回路において、
前記入力信号は、無線通信信号であることを特徴とする周波数変換回路。
【請求項６】
請求項１乃至５のいずれかに記載の周波数変換回路を含むことを特徴とする受信装置。
【発明の詳細な説明】
【技術分野】
【０００１】
本発明は、周波数変換回路及び受信装置等に関する。
【背景技術】
【０００２】
通信機器等において、高周波信号を他の周波数に変換する周波数変換回路（変調回路や復調回路）が使用されている。例えば特許文献１では、ＶＣＯ（voltage controlled oscillator：電圧制御発振回路）の差動出力信号をポリフェイズフィルタにより直交出力（位相差９０度ずつで４相出力）した信号と、高周波信号とを２つのミキサ回路により混合（ミキシング）し出力することにより周波数を変換する変調回路が記載されている。また、このような変調回路や復調回路は、無線信号等の受信装置や送信装置に利用されている（特許文献２）。
【特許文献１】特開２００３−２８３２５３号公報
【特許文献２】特表２００７−５２５８７７号公報
【発明の開示】
【発明が解決しようとする課題】
【０００３】
しかしながら、例えば特許文献１に記載の回路では、発振回路（ＶＣＯ）とポリフェイズフィルタと２つのミキサ回路を別個に用意する必要がある。そのため、回路規模の削減や、消費電流の低減には制約がある。
【０００４】
本発明は、以上のような技術的課題に鑑みてなされたものである。本発明の幾つかの態様によれば、回路規模を削減し、消費電流を低減した周波数変換回路及び受信装置を提供できる。
【課題を解決するための手段】
【０００５】
（１）本発明に係る周波数変換回路は、
前記所与の周波数で発振し、直交出力する発振部と、
前記入力信号に基づいて定まる電流値で前記発振部を駆動する電流源部とを含み、
前記発振部は、前記入力信号の周波数と前記所与の周波数とを混合し直交出力することを特徴とする。
【０００６】
この周波数変換回路によれば、例えば従来は発振回路とポリフェイズフィルタと２つのミキサ回路を組み合わせて用いて実現していた周波数変換機能をまとめて実現することができる。これにより、回路規模を削減し、消費電流を低減することができる。
【０００７】
（２）この周波数変換回路は、前記発振部は、前記入力信号の周波数と前記所与の周波数を混合し直交出力する第１乃至第４の出力端子と、それぞれ第１端子、第２端子及び制御端子を含む第１乃至第８のトランジスタと、前記所与の周波数で共振する第１乃至第４の共振部とを含み、
前記電流源部は、前記入力信号が入力される入力端子と、前記入力端子に接続される制御端子をそれぞれ含む第１及び第２の電流源とを含み、
前記第１のトランジスタの第１端子と前記第２のトランジスタの第１端子とは相互に接続されるとともに、前記第１の共振部を介して第１電位に接続され、
前記第１のトランジスタの第２端子と前記第２のトランジスタの第２端子とは相互に接続されるとともに、前記第１の電流源を介して第２電位に接続され、
前記第３のトランジスタの第１端子と前記第４のトランジスタの第１端子とは相互に接続されるとともに、前記第２の共振部を介して第１電位に接続され、
前記第３のトランジスタの第２端子と前記第４のトランジスタの第２端子とは相互に接続されるとともに、前記第１のトランジスタの第２端子と前記第２のトランジスタの第２端子との接続点に接続され、さらに前記第１の電流源を介して第２電位に接続され、
前記第５のトランジスタの第１端子と前記第６のトランジスタの第１端子とは相互に接続されるとともに、前記第３の共振部を介して第１電位に接続され、
前記第５のトランジスタの第２端子と前記第６のトランジスタの第２端子とは相互に接続されるとともに、前記第２の電流源を介して第２電位に接続され、
前記第７のトランジスタの第１端子と前記第８のトランジスタの第１端子とは相互に接続されるとともに、前記第４の共振部を介して第１電位に接続され、
前記第７のトランジスタの第２端子と前記第８のトランジスタの第２端子とは相互に接続されるとともに、前記第５のトランジスタの第２端子と前記第６のトランジスタの第２端子との接続点に接続され、さらに前記第２の電流源を介して第２電位に接続され、
前記第８のトランジスタの制御端子は、前記第１のトランジスタの第１端子と前記第２のトランジスタの第１端子との接続点と前記第３のトランジスタの制御端子とに接続されるとともに前記第１の出力端子に接続され、
前記第１のトランジスタの制御端子は、前記第５のトランジスタの第１端子と前記第６のトランジスタの第１端子との接続点と前記第７のトランジスタの制御端子とに接続されるとともに前記第２の出力端子に接続され、
前記第５のトランジスタの制御端子は、前記第３のトランジスタの第１端子と前記第４のトランジスタの第１端子との接続点と前記第２のトランジスタの制御端子とに接続されるとともに前記第３の出力端子に接続され、
前記第４のトランジスタの制御端子は、前記第７のトランジスタの第１端子と前記第８のトランジスタの第１端子との接続点と前記第６のトランジスタの制御端子とに接続されるとともに前記第４の出力端子に接続されていてもよい。
【０００８】
第１乃至第８のトランジスタは、例えば、ＭＯＳトランジスタでもバイポーラトランジスタでもよい。ＭＯＳトランジスタの場合には、第１端子をドレイン端子、第２端子をソース端子、制御端子をゲート端子としてもよい。バイポーラトランジスタの場合には、第１端子をコレクタ端子、第２端子をエミッタ端子、制御端子をベース端子としてもよい。
【０００９】
（３）この周波数変換回路は、前記第１乃至第４の共振部は、ＬＣ共振回路を含んで構成されていてもよい。
【００１０】
（４）この周波数変換回路は、前記共振部又は前記第１乃至第４の共振部は、可変容量を含んで構成されていてもよい。
【００１１】
（５）この周波数変換回路は、前記入力信号は、無線通信信号であってもよい。
【００１２】
（６）本発明に係る受信装置は、これらのいずれかの周波数変換回路を含むことを特徴とする。
【発明を実施するための最良の形態】
【００１３】
以下、本発明を適用した実施の形態について図面を参照して説明する。ただし、本発明は以下の実施の形態に限定されるものではない。また、本発明は、以下の内容を自由に組み合わせたものを含むものとする。
【００１４】
１．周波数変換回路
〔構成〕
図１は、本実施の形態に係る周波数変換回路の回路図である。
【００１５】
本実施の形態に係る周波数変換回路１は、入力信号Ｓ１の周波数ｆ１と所与の周波数ｆ０を混合し直交出力（位相差９０度ずつで４相出力）する周波数変換回路であって、所与の周波数ｆ０で発振し、直交出力する発振部１０と、入力信号に基づいて定まる電流値で発振部１０を駆動する電流源部２０とを含み、発振部１０は、入力信号の周波数ｆ１と所与の周波数ｆ０とを混合し直交出力する。
【００１６】
発振部１０を駆動する電流源２０に流れる電流値が、発振部１０の出力信号の振幅を制御するため、発振部１０は、自己の発振周波数ｆ０と入力信号のＳ１の周波数ｆ１とを混合して出力することになる。
【００１７】
周波数変換回路１の出力信号Ｓ２は、周波数ｆｏ１＝｜ｆ０−ｆ１｜の成分と、周波数ｆｏ２＝ｆ０＋ｆ１の成分とを含んだ信号となる。出力信号Ｓ２は、４つの電圧信号Ｓ２ｉｐ、Ｓ２ｑｐ、Ｓ２ｉｎ、Ｓ２ｑｎからなり、この順序で９０度ずつ位相が遅れて出力される。
【００１８】
周波数ｆｏ１＝｜ｆ０−ｆ１｜の成分と、周波数ｆｏ２＝ｆ０＋ｆ１の成分とのいずれかを選択的に用いたい場合には、必要に応じて周波数変換回路１の後段にフィルタを設けることにより、所望の周波数成分の信号を選択することができる。
【００１９】
なお、入力信号Ｓ１として無線通信信号のような高周波信号を用いる場合には、周波数変換回路１の後段につながる容量性負荷により、周波数ｆｏ２＝ｆ０＋ｆ１の成分は除去されやすい。したがって、入力信号Ｓ１として無線通信信号のような高周波信号を用いる場合には、周波数ｆｏ１＝｜ｆ０−ｆ１｜の成分を抽出しやすい。
【００２０】
図１に示す周波数変換回路１においては、発振部１０は、入力信号Ｓ１の周波数ｆ１と所与の周波数ｆ０を混合し直交出力する第１の出力端子Ｉ＋、第２の出力端子Ｑ＋、第３の出力端子Ｉ−、第４の出力端子Ｑ−と、第１〜第８のトランジスタＭ１〜Ｍ８（本実施の形態においては、全てＮＭＯＳトランジスタで構成）と、所与の周波数ｆ０で共振する第１〜第４の共振部１１〜１４とを含んで構成されている。
【００２１】
また、電流源部２０は、入力信号Ｓ１が入力される入力端子Ｆｉｎと、入力端子Ｆｉｎに接続される制御端子をそれぞれ含む第１の電流源２１と第２の電流源２２とを含んで構成されている。第１の電流源２１は第９のトランジスタＭ９で構成され、第２の電流源２２は第１０のトランジスタＭ１０で構成されている。本実施の形態においては、第９のトランジスタＭ９と第１０のトランジスタＭ１０は、全てＮＭＯＳトランジスタで構成されている。第１の電流源２１の制御端子は、第９のトランジスタＭ９のゲート端子に対応し、第２の電流源２２の制御端子は、第１０のトランジスタＭ１０のゲート端子に対応する。
【００２２】
第１のトランジスタＭ１のドレイン端子と第２のトランジスタＭ２のドレイン端子とは相互に接続されるとともに、第１の共振部１１を介して正電位ＶＤＤ（本発明における第１電位に対応）に接続されている。また、第１のトランジスタＭ１のソース端子と第２のトランジスタのソース端子とは相互に接続されるとともに、第１の電流源２１を介して接地電位ＧＮＤ（本発明における第２電位に対応）に接続されている。
【００２３】
第３のトランジスタＭ３のドレイン端子と第４のトランジスタＭ４のドレイン端子とは相互に接続されるとともに、第２の共振部１２を介して正電位ＶＤＤに接続されている。また、第３のトランジスタＭ３のソース端子と第４のトランジスタＭ４のソース端子とは相互に接続されるとともに、第１のトランジスタＭ１のソース端子と第２のトランジスタＭ２のソース端子との接続点に接続され、さらに第１の電流源２１を介して接地電位ＧＮＤに接続されている。
【００２４】
第５のトランジスタＭ５のドレイン端子と第６のトランジスタＭ６のドレイン端子とは相互に接続されるとともに、第３の共振部１３を介して正電位ＶＤＤに接続されている。また、第５のトランジスタＭ５のソース端子と第６のトランジスタＭ６のソース端子とは相互に接続されるとともに、第２の電流源２２を介して接地電位ＧＮＤに接続されている。
【００２５】
第７のトランジスタＭ７のドレイン端子と第８のトランジスタＭ８のドレイン端子とは相互に接続されるとともに、第４の共振部１４を介して正電位ＶＤＤに接続されている。また、第７のトランジスタＭ７のソース端子と第８のトランジスタＭ８のソース端子とは相互に接続されるとともに、第５のトランジスタＭ５のソース端子と第６のトランジスタＭ６のソース端子との接続点に接続され、さらに第２の電流源２２を介して接地電位ＧＮＤに接続されている。
【００２６】
第８のトランジスタＭ８のゲート端子は、第１のトランジスタＭ１のドレイン端子と第２のトランジスタＭ２のドレイン端子との接続点と、第３のトランジスタＭ３のゲート端子とに接続されるとともに、第１の出力端子Ｉ＋に接続されている。
【００２７】
第１のトランジスタＭ１のゲート端子は、第５のトランジスタＭ５のドレイン端子と第６のトランジスタＭ６のドレイン端子との接続点と、第７のトランジスタＭ７のゲート端子とに接続されるとともに、第２の出力端子Ｑ＋に接続されている。
【００２８】
第５のトランジスタＭ５のゲート端子は、第３のトランジスタＭ３のドレイン端子と第４のトランジスタＭ４のドレイン端子との接続点と、第２のトランジスタＭ２のゲート端子とに接続されるとともに、第３の出力端子Ｉ−に接続されている。
【００２９】
第４のトランジスタＭ４のゲート端子は、第７のトランジスタＭ７のドレイン端子と第８のトランジスタＭ８のドレイン端子との接続点と、第６のトランジスタＭ６のゲート端子とに接続されるとともに、第４の出力端子Ｑ−に接続されている。
【００３０】
本実施の形態に係る周波数変換回路１においては、第１〜第４の共振部１１〜１４は、ＬＣ共振回路により構成されている。第１の共振部１１は、第１のキャパシタＣ１と第１のインダクタＬ１との並列回路で構成されている。第２の共振部１２は、第２のキャパシタＣ２と第２のインダクタＬ２との並列回路で構成されている。第３の共振部１３は、第３のキャパシタＣ３と第３のインダクタＬ３との並列回路で構成されている。第４の共振部１４は、第４のキャパシタＣ４と第４のインダクタＬ４との並列回路で構成されている。また、第１〜第４の共振部の共振周波数が同一になるように第１〜第４のキャパシタＣ１〜Ｃ４と第１〜第４のインダクタＬ１〜Ｌ４の値を設定している。
【００３１】
第１〜第４のキャパシタＣ１〜Ｃ４は、可変容量で構成してもよい。例えば、第１〜第４のキャパシタＣ１〜Ｃ４をバラクタ（varactor diodeやMOS varactor）で構成してもよい。これにより、第１〜第４の共振部１１〜１４の共振周波数を制御することができる。
【００３２】
〔動作〕
図１に示す周波数変換回路１において、仮に、電流源部２０を定電流源として動作させた場合（例えば、トランジスタＭ９とトランジスタＭ１０が飽和領域で動作するような一定の電圧を入力端子Ｆｉｎに入力した場合）には、発振部１０は、第１〜第４の共振部１１〜１４の共振周波数ｆ０で発振し、第１の出力端子Ｉ＋、第２の出力端子Ｑ＋、第３の出力端子Ｉ−、第４の出力端子Ｑ−の順に９０度ずつ遅れた電圧信号を出力する。第１の出力端子Ｉ＋から出力される電圧信号をＳ２ｉｐ、第２の出力端子Ｑ＋から出力される電圧信号をＳ２ｑｐ、第３の出力端子Ｉ−から出力される電圧信号をＳ２ｉｎ、第４の出力端子Ｑ−から出力される電圧信号をＳ２ｑｎとする。
【００３３】
また、第１〜第４のトランジスタＭ１〜Ｍ４に流れる電流値の合計が第１の電流源２１に流れる電流値に、第５〜第８のトランジスタＭ５〜Ｍ８に流れる電流値の合計が第２の電流源２２に流れる電流値になるように、各出力端子Ｉ＋、Ｑ＋、Ｉ−、Ｑ−から出力される各電圧信号Ｓ２ｉｐ、Ｓ２ｑｐ、Ｓ２ｉｎ、Ｓ２ｑｎの電圧値が定まる。すなわち、第１の電流源２１と第２の電流源２２に流れる電流値により、各出力端子Ｉ＋、Ｑ＋、Ｉ−、Ｑ−から出力される各電圧信号Ｓ２ｉｐ、Ｓ２ｑｐ、Ｓ２ｉｎ、Ｓ２ｑｎの振幅が定まる。
【００３４】
この周波数変換回路１に対して、周波数ｆ１を持ち、第１の電流源２１と第２の電流源２２に流れる電流値を変化させられる程度の電圧振幅を持つ入力信号Ｓ１を入力端子Ｆｉｎに入力すると、第１の電流源２１と第２の電流源２２に流れる電流値は周波数ｆ１で変化する。
【００３５】
上述のように、第１の電流源２１と第２の電流源２２に流れる電流値は、各出力端子Ｉ＋、Ｑ＋、Ｉ−、Ｑ−から出力される各電圧信号Ｓ２ｉｐ、Ｓ２ｑｐ、Ｓ２ｉｎ、Ｓ２ｑｎの振幅を定めることになる。したがって、第１の電流源２１と第２の電流源２２に流れる電流値が周波数ｆ１で変化することにより、発振部１０による発振周波数ｆ０と入力信号Ｓ１の周波数ｆ１を混合した電圧信号が、各出力端子Ｉ＋、Ｑ＋、Ｉ−、Ｑ−から各電圧信号Ｓ２ｉｐ、Ｓ２ｑｐ、Ｓ２ｉｎ、Ｓ２ｑｎとして出力される。
【００３６】
図２は、比較例の周波数変換回路の一例を示す回路ブロック図である。比較例の周波数変換回路では、発振回路とポリフェイズフィルタと２つのミキサ回路を組み合わせて周波数変換回路を実現していた。図３（Ａ）は、発振回路（ＶＣＯ）の一例、図３（Ｂ）は、ポリフェイズフィルタの一例、図４は、ミキサ回路の一例を示す回路図である。本実施の形態に係る周波数変換回路１では、これらの機能をまとめて実現することができる。
【００３７】
このように、本実施の形態に係る周波数変換回路によれば、従来の周波数変換回路に比べて小さな回路規模で実現することができる。また、これにより周波数変換回路全体の消費電流を低減することができる。
【００３８】
〔変形例〕
なお、第１〜第４の共振部１１〜１４は種々の構成が可能である。図５は、共振部の他の一例を示す回路図である。図５においては、第１の共振部１１について示しているが、第２〜第４の共振部１２〜１４についても同様の構成が可能である。
【００３９】
図５に示す第１の共振部１１は、スイッチＳＷ１と直列接続されたキャパシタＣ１−１、スイッチＳＷ２と直列接続されたキャパシタＣ１−２、バラクタで構成されたＣ１−３、固定容量のキャパシタＣ１−４、インダクタＬ１の並列回路で構成されている。スイッチＳＷ１、ＳＷ２のＯＮ／ＯＦＦやキャパシタＣ１−３の容量を制御することにより、インダクタＬ１と並列接続される合計容量を広い範囲で可変とすることができるため、第１の共振部１１の共振周波数を広い範囲で制御することができる。
【００４０】
２．受信装置
図６は、本実施の形態に係る受信装置の回路ブロック図である。
【００４１】
受信装置１００は、周波数変換回路１を含む。周波数変換回路１は、図１〜図５を用いて説明した周波数変換回路と同一であるので、その詳細な説明を省略する。
【００４２】
受信装置１００は、チャネルフィルタ２を含んでもよい。チャネルフィルタ２は、周波数可変のバンドパスフィルタで構成している。チャネルフィルタ２により、受信装置１００は所望の周波数の信号を選択的に受信することができる。チャネルフィルタ２は、周波数変換回路１の出力信号Ｓ２ｉｐ、Ｓ２ｉｎから出力信号Ｉｏｕｔを、周波数変換回路１の出力信号Ｓ２ｑｐ、Ｓ２ｑｎから出力信号Ｑｏｕｔをそれぞれ生成してもよい。
【００４３】
受信装置１００は、ＰＬＬ（phase-locked loop）回路３を含んでもよい。ＰＬＬ回路３は、周波数制御信号Ｆｃｔｌを周波数変換回路１に送信する。例えば、ＰＬＬ回路３が周波数変換回路１の出力信号を監視しつつ、周波数変換回路１の第１〜第４の共振回路１１〜１４の共振周波数を制御することにより、周波数変換回路の発振部１０の発振周波数ｆ０を安定させることができる。
【００４４】
受信装置１００は、アンテナ４を含んでもよい。アンテナ４は、無線通信信号を受信し、周波数変換回路１の入力端子Ｆｉｎに入力信号Ｓ１として無線通信信号を伝達する。
【００４５】
本実施の形態に係る受信装置１００では、周波数変換回路１として図１〜４を用いて説明した周波数変換回路１を用いているため、従来の受信装置に比べて小さな回路規模で実現することができる。また、これにより受信装置全体の消費電流を低減することができる。
【００４６】
なお、本発明は本実施の形態に限定されず、本発明の要旨の範囲内で種々の変形実施が可能である。
【００４７】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【００４８】
例えば、上述の実施形態においては、周波数変換回路１をＭＯＳトランジスタで構成した場合について説明したが、バイポーラトランジスタで構成することも可能である。
【図面の簡単な説明】
【００４９】
【図１】本実施の形態に係る周波数変換回路の回路図。
【図２】比較例の周波数変換回路の一例を示す回路ブロック図。
【図３】図３（Ａ）は、発振回路（ＶＣＯ）の一例、図３（Ｂ）は、ポリフェイズフィルタの一例を示す回路図。
【図４】ミキサ回路の一例を示す回路図。
【図５】共振部の他の一例を示す回路図。
【図６】本実施の形態に係る受信装置の回路ブロック図。
【符号の説明】
【００５０】
１  周波数変換回路、２  チャネルフィルタ、３  ＰＬＬ回路、４  アンテナ、１０  発振部、１１  第１の共振部、１２  第２の共振部、１３  第３の共振部、１４  第４の共振部、２０  電流源部、２１  第１の電流源、２２  第２の電流源、Ｃ１〜Ｃ４  第１〜第４のキャパシタ、Ｌ１〜Ｌ４  第１〜第４のインダクタ、Ｍ１〜Ｍ１０  第１〜第１０のトランジスタ
【図１】
2010114669.tif 000003
【図２】
2010114669.tif 000004
【図３】
2010114669.tif 000005
【図４】
2010114669.tif 000006
【図５】
2010114669.tif 000007
【図６】
2010114669.tif 000008